(57)【要約】【課題】  異なる液体を収納した二つの注射器状の円筒容器をスプレーガンの取付台に取着し、二つの円筒容器の各注出筒に接続するノズル部材を注出筒先端に装着し、円筒容器に装着されるピストン部材を、トリガーを操作することによって押圧し、簡単な構造で容易に噴霧できるようにした二液噴霧器を提供すること。【解決手段】  異なる内容液を収納した注出筒とピストンを具えた円筒容器を、トリガー部材を具えたスプレーガンに取着した二液噴霧器であって、各注出筒に嵌挿される嵌着筒と混合室、および噴霧ノズルとを具えたノズル部材を注出筒に取着し、ピストンにピストン操作部材を連設し、該ピストン操作部材を、トリガー部材を操作することによって作動させ、噴霧ノズルより二液を混合して噴霧させるようにしたことを特徴とする。【選択図】  図１
2007175634.tif 000002
【特許請求の範囲】
【請求項１】
異なる内容液を収納した注出筒とピストンを具えた円筒容器を、トリガー部材を具えたスプレーガンに取着した二液噴霧器であって、
各注出筒に嵌挿される嵌着筒と混合室、および噴霧ノズルとを具えたノズル部材を注出筒に取着し、
ピストンにピストン操作部材を連設し、該ピストン操作部材を、トリガー部材を操作することによって作動させ、噴霧ノズルより二液を混合して噴霧させるようにしたことを特徴とする二液噴霧器。
【請求項２】
異なる内容液を収納した注出筒とピストンを具えた円筒容器を、トリガー部材を具えたスプレーガンに取着した二液噴霧器であって、
各注出筒に嵌挿される嵌着筒と相互に連結された噴霧ノズルとを具えたノズル部材を、注出筒に取着し、
ピストンにピストン操作部材を連設し、該ピストン操作部材を、トリガー部材を操作することによって作動させ、噴霧ノズルより二液を同時に噴霧させるようにしたことを特徴とする二液噴霧器。
【請求項３】
ピストン操作部材が、ピストン操作杆と爪係合板を具えた押圧板とからなり、
トリガー部材が、操作レバーと、該操作レバーに軸体によって一体に連設された爪を具えた爪板とからなることを特徴とする請求項１または２記載の二液噴霧器。
【請求項４】
スプレーガンに把持体が垂設され、該把持体にトリガー部材の操作レバーが軸支されており、把持体と操作レバーとの間にばねが弾装されていることを特徴とする請求項３記載の二液噴霧器。
【発明の詳細な説明】
【技術分野】
【０００１】
本発明は、二液噴霧器、とくに二液を一定の割合で混合し、所要量の混合液を狭い範囲に噴霧できるようにした二液混合噴霧器、および二液を同時に噴霧できるようにした二液同時噴霧器に関するものである。
【背景技術】
【０００２】
二つの噴霧ノズルを並列した噴霧ヘッドと、該噴霧ヘッドに嵌挿され、異なる二種類の液体を別個に収納する二つの注射器状の円筒容器と各円筒容器の筒部に嵌挿されるプランジャーと、トリガーによって操作されるプランジャー規制手段とを具備した二液同時噴霧器は従来より知られている（例えば特許文献１参照）。
【０００３】
また、噴霧器として、二種類の液体を混合させて噴霧するようにしたトリガー式噴霧器も従来より知られている（例えば、特許文献２参照）。
【特許文献１】特表２００１−５０２１９９号公報
【特許文献２】特開平１０−１６５８５４号公報
【発明の開示】
【発明が解決しようとする課題】
【０００４】
しかしながら、上記特許文献１記載の従来の噴霧器は、注射器状の円筒容器、プランジャーを別個のハウジングに支持させ、噴霧ヘッド、プランジャー規制手段、トリガー等を二つのハウジングによって形成される取付部、軸部などによって支持されるようになっており、構造が複雑であるという問題があった。
【０００５】
また、噴霧器が医療用であって、二つの噴霧ノズルから噴霧された円錐状パターンが所定の距離離れた位置で重なり、二液を混合させるようにしているので、微妙な調整を必要とし、使用が簡単でないという問題があった。
また、上記の噴霧器では、注射器状の円筒容器を、噴霧ヘッドに設けられた二つの噴霧ノズルに個別に装着するようにしており、二液を混合して噴霧することができなかった。
【０００６】
上記特許文献２記載の噴霧器は、混合液を噴霧するものであるが、従来のトリガー式噴霧器に混合室を設け、二液を混合させるようにしているので、構造が複雑であり、噴霧器を小型化できないので、狭い範囲に噴霧することができないという問題があった。
【０００７】
本発明は、上記の問題を解決することを課題とし、異なる液体を収納した二つの注射器状の円筒容器をスプレーガンの取付台に取着し、二つの円筒容器の各注出筒に接続するノズル部材を注出筒先端に装着し、円筒容器に装着されるピストン部材を、トリガーを操作することによって押圧し、簡単な構造で容易に噴霧できるようにした二液噴霧器を提供することを目的とする。
【課題を解決するための手段】
【０００８】
本発明は、上記の課題を解決するため、二液噴霧器として、異なる内容液を収納した注出筒とピストンを具えた円筒容器を、トリガー部材を具えたスプレーガンに取着した二液噴霧器であって、各注出筒に嵌挿される嵌着筒と混合室、および噴霧ノズルとを具えたノズル部材を注出筒に取着し、ピストンにピストン操作部材を連設し、該ピストン操作部材を、トリガー部材を操作することによって作動させ、噴霧ノズルより二液を混合して噴霧させるようにしたことを特徴とする構成を採用する。
【０００９】
二液同時噴霧器として、異なる内容液を収納した注出筒とピストンを具えた円筒容器を、トリガー部材を具えたスプレーガンに取着した二液噴霧器であって、各注出筒に嵌挿される嵌着筒と相互に連結された噴霧ノズルとを具えたノズル部材を、注出筒に取着し、ピストンにピストン操作部材を連設し、該ピストン操作部材を、トリガー部材を操作することによって作動させ、噴霧ノズルより二液を同時に噴霧させるようにしたことを特徴とする構成を採用する。
【００１０】
ピストンの作動手段の実施例として、ピストン操作部材が、ピストン操作杆と爪係合板を具えた押圧板とからなり、トリガー部材が、操作レバーと、該操作レバーに軸体によって一体に連設された爪を具えた爪板とからなることを特徴とする構成を採用する。
【００１１】
トリガー部材の実施例として、スプレーガンに把持体が垂設され、該把持体にトリガー部材の操作レバーが軸支されており、把持体と操作レバーとの間にばねが弾装されていることを特徴とする構成を採用する。
【発明の効果】
【００１２】
異なる内容液を収納した注出筒とピストンを具えた円筒容器を、トリガー部材を具えたスプレーガンに取付け、トリガー部材を操作することによって、二液噴霧が容易にできるようになり、トリガー部材に爪板を設け、ピストン押圧板の爪係合板と係合させているので、ピストンを一定量毎に前進させ、所望量の二液を噴霧できるようになった。
また、ノズル部材を変えることによって、二液混合噴霧または二液同時噴霧ができるようになった。
【発明を実施するための最良の形態】
【００１３】
次に、本発明の二液噴霧器について、まず始めに、二液混合噴霧容器に係る実施例について図面を参照して説明する。
【実施例１】
【００１４】
図１において、Ａは混合噴霧ノズルを取着した二液噴霧容器、Ｂは二液噴霧容器Ａを取着し、トリガー部材を設けたスプレーガンである。
【００１５】
図１〜３に示すように、二液噴霧容器Ａは、二つの円筒容器１ａ、１ｂと、二つの円筒容器１ａ、１ｂの先端の注出筒２ａ、２ｂに装着されたノズル部材３、それぞれの円筒容器１ａ、１ｂに嵌挿されたピストン４、およびピストン操作部材５とから構成されている。
円筒容器１ａ、１ｂは、同一径、または径の異なる二つの円筒体６と、頂壁７とからなり、頂壁７の所定の位置には、それぞれ注出筒２ａ、２ｂが突設されている。
【００１６】
ノズル部材３は、注出筒２ａ、２ｂに装着されるケーシング８と、噴霧ノズル９とからなっている。
ケーシング８は、その両側に、それぞれの注出筒２ａ、２ｂに嵌着され、内部に流路を設けた嵌着筒１０ａ、１０ｂが設けられ、ケーシング８の内部には、嵌着筒１０ａ、１０ｂの流路に接続し、それぞれの液を混合させる混合室１１が設けられている。
【００１７】
噴霧ノズル９の先端には、ノズルチップ１２が装着されている。
ノズルチップ１２は、中央に噴出孔１３を穿孔し、周辺に噴出孔１３に連通する噴出流路１４が設けられており、該噴出流路１４は、流路を介して、混合室１１に接続されている。
【００１８】
図２に示すように、ピストン４は、円筒容器１ａ、１ｂのそれぞれの頂壁７と同形の円錐状凸面部１５と、それぞれの円筒体６の筒壁内周を摺動するスカート状の摺動面１６と、中央に凹部を設けた底面部１７とを具備しており、底面部１７には、ピストン操作部材５の支持部１８が設けられている。
【００１９】
ピストン操作部材５は、前記支持部１８に装着される押圧板１９と十字形の連杆２０、作動板２１とからなるピストン操作杆２２、および作動板２１に嵌着され、両者を結合するとともに、中央部に水平方向に延びる爪係合板２３を連設した押圧板２４とからなっている。
爪係合板２３には、一定間隔をおいて、後側に傾斜面を設けた係合孔２５が穿孔されている。
【００２０】
図４に示すように、スプレーガンＢは、基台３０と、該基台３０に連設された円筒容器１ａ、１ｂの支持体３１と基台３０に垂設された把持体３２とを具備している。
支持体３１は、前板３３と円筒容器１ａ、１ｂを抱持する抱持体３４とからなっており、前板３３には、円筒容器１ａ、１ｂの注出筒２ａ、２ｂが嵌挿される支持孔３５が基台３０に平行して突設されている。
【００２１】
抱持体３４は、基台３０に載置された円筒容器１ａ、１ｂを上方から抱持する円筒状の上面３６ａ、３６ｂを有しており、二つの上面３６ａ、３６ｂは、所定の高さで平面板３７によって接続され、後方部分には、円筒容器１ａ、１ｂを嵌挿しやすいように湾曲端縁３８が形成されている。
【００２２】
把持体３２は、基台３０後端部より垂設された後板３９と、該後板３９に角部を円弧として連設された左右の側板４０とを具えている。
側板４０の上端部は、前方に延びて補強板４１となっており、それぞれの側板４０には、トリガー部材４２を軸支するための軸受孔が穿孔されている。
【００２３】
トリガー部材４２は、一定の間隔に複数の爪４３を設けた爪板４４と、操作レバー４５とからなり、両者は軸体４６によって一体化されている。
爪板４４は、軸体４６の中央に設けられ、基板３０に設けられた開口４７より上方に突出して爪係合板２３に係合し、爪４３が爪係合板２３に挿入されるようになっている。
【００２４】
操作レバー４５は、軸体４６の両側部に設けられ、両側の側板４８と、該側板４８の前方に角部を円弧状として連設された操作板４９とからなっている。
軸体４６の両側は、把持体３２の側板４０の軸受孔に軸支されるようになっている。
操作板４９と抱持体３４の後板３９との間には、ばね５０が弾装され、操作レバー４５を前方に付勢している。
【００２５】
次に、本発明混合噴霧器の使用態様と作用効果について説明する。
ピストン操作部材５を装着したピストン４を取着した二つの円筒容器１ａ、１ｂには、薬液等で異なる内容液が収納され、注出筒２ａ、２ｂにキャップが被蓋されて収納容器が形成される。
【００２６】
使用にあたって、まず、注出筒２ａ、２ｂを上にして、被蓋されたキャップを外し、円筒容器１ａ、１ｂの注出筒２ａ、２ｂを、前板３３を上に直立状態としたスプレーガンＢに、前板３３の下方から支持孔３５に挿入し、円筒体６を抱持体３４内に抱持させる。
次いで、押圧板２４を、ピストン操作杆２２の作動板２１に嵌着して両者を結合し、爪係合板２３をトリガー部材４２の爪板４４に係合させることによって、円筒容器１ａ、１ｂがセットされ、次に、ノズル部材３を注出筒２ａ、２ｂに取着することで噴霧器が得られる。
【００２７】
噴霧にあたっては、スプレーガンＢの把持体３２とトリガー部材４２の操作レバー４５を片手で挟持し、操作レバー４５を引くと、爪板４４が廻動し、爪４３が爪係合板２３の係合孔２５に係合して、爪係合板２３を前進させ、ピストン操作部材５を介してピストン４を前進させる。
【００２８】
ピストン４の前進により、円筒容器１ａ、１ｂの内容液が、注出筒２ａ、２ｂよりノズル部材３に送られ、混合室１１内で混合され、噴出孔１３より噴霧される。
操作レバー４５の押圧を解くと、図５に示すように、ばね５０の復元力によって操作レバー４５は時計方向に回り、爪４３は、爪係合板２３を上方に変位させ、係合している係合孔２５から外れて後方の係合孔２５と係合する。  
【００２９】
その際、操作レバー４５を所望量廻動させることによって、所望量の内容液を噴霧できる。
【００３０】
全ての内容物の噴霧が終わったときには、ノズル部材３を注出筒２ａ、２ｂから取外し、爪係合板２３と爪板４４との係合を解いて、円筒容器１ａ、１ｂを後方に引き出すと、スプレーガンＢから取外すことができ、新しい円筒容器と取り替えて使用することができる。
【実施例２】
【００３１】
次に、二液同時噴霧器の実施例について説明する。
前記実施例では、ノズル部材として、二液混合噴霧ヘッドを用いたが、本実施例は、二液を別個の噴霧ノズルより平行して噴霧するようにしたものである。
以下、ノズル部材を中心に説明し、同一の構成は、同一の符号をもって図示し、説明を省略する。
【００３２】
図６に示すように、ノズル部材３Ａは、平行する二つの噴霧ノズル６０ａ、６０ｂと、各注出筒２ａ、２ｂに嵌着される嵌着筒６１と、連結板６２によって構成されている。
各噴霧ノズル６０ａ、６０ｂの先端には、噴出孔６３を具えたノズルチップが嵌着され、噴出孔６３に通じる噴出流路６４と、注出筒２ａ、２ｂに連通する流路６５が形成されている。
【００３３】
本実施例の噴霧容器の作用効果は、操作レバー４５を引くと、円筒容器１ａ、１ｂの内容液が注出筒２ａ、２ｂを介して噴霧ノズル６０ａ、６０ｂに送られ、それぞれの噴出孔６３より同時に噴霧され、一定距離離れた点で噴霧パターンが重なるようになっている。
その他には、実施例１と同様の作用効果を得ることができる。
【００３４】
上記実施例では、噴霧ノズル６０ａ、６０ｂを噴霧方向が平行するよう注出筒に取着したが、交差する方向に噴霧するようにしてもよい。
また、噴霧ノズル６０ａ、６０ｂの配設位置は、必要に応じて変更することもできる。
【００３５】
前記各実施例では、ピストン操作部材５を、ピストン操作杆２２と爪係合板２３を連設した押圧板２４により構成したが、ピストン操作杆に替え、ピストンをプランジャーに替え、後端を押圧板２４に嵌合するようにしてもよい。
【産業上の利用可能性】
【００３６】
本発明は、異なる内容液を収納した二つの注射器状の注出筒を設けた円筒容器をスプレーガンに取着し、注出筒に混合噴霧ノズルを装着し、ピストンをトリガーを介して操作するようにしたので、簡単な操作で、狭い範囲に、二液を混合噴霧できるようになった。
そのため、薬品の噴霧ばかりでなく、洗剤、化粧料等の噴霧にも広く利用できる。
【図面の簡単な説明】
【００３７】
【図１】本発明の二液噴霧容器の断面立面図である。
【図２】二液噴霧容器の説明図で、（ａ）は平面図、（ｂ）は図１のＡ−Ａ線における断面立面図である。
【図３】二液噴霧容器の正面図である。
【図４】スプレーガン本体の説明図で、（ａ）は一部断面上面図、（ｂ）は断面立面図である。
【図５】二液噴霧容器の使用時の説明図である。
【図６】第２実施例の噴霧容器の説明図で、（ａ）は一部断面平面図、（ｂ）は図１のＡ−Ａ線における断面立面図である。
【符号の説明】
【００３８】
Ａ          二液噴霧容器
Ｂ          スプレーガン
１ａ，ｂ    円筒容器
２ａ，ｂ    注出筒
３、３Ａ    ノズル部材
４          ピストン
５          ピストン操作部材
６          円筒体
７          頂壁
８          ケーシング
９          噴霧ノズル
１０ａ，ｂ  嵌着筒
１１        混合室
１２        ノズルチップ
１３        噴出孔
１４        噴出流路
１５        円錐状凸面部
１６        摺動面
１７        底面部
１８        支持部
１９        押圧板
２０        連杆
２１        作動板
２２        ピストン操作杆
２３        爪係合板
２４        押圧板
２５        係合孔
３０        基台
３１        支持体
３２        把持体
３３        前板
３４        抱持体
３５        支持孔
３６ａ，ｂ  上面
３７        平面板
３８        湾曲端縁
３９        後板
４０、４８  側板
４１        補強板
４２        トリガー部材
４３        爪
４４        爪板
４５        操作レバー
４６        軸体
４７        開口
４９        操作板
５０        ばね
６０ａ，ｂ  噴霧ノズル
６１        嵌着筒
６２        連結板
６３        噴出孔
６４        噴出流路
６５        流路６５
【図１】
2007175634.tif 000003
【図２】
2007175634.tif 000004
【図３】
2007175634.tif 000005
【図４】
2007175634.tif 000006
【図５】
2007175634.tif 000007
【図６】
2007175634.tif 000008